(57)【要約】【課題】金属調光沢を有する意匠部の見栄えを奥行き感のあるものとする。【解決手段】装飾パネル１は、ＬＥＤ７からの光を導光して前面から出射させる平板状の導光部材２と、導光部材２の前面に設けられ、前後方向に対して斜めに傾斜した傾斜面４ａを後側に有する透光性の成形樹脂層４と、成形樹脂層４の傾斜面４ａに設けられ、金属調光沢を有する加飾フィルム８と、成形樹脂層４の前面に設けられ、傾斜面４ａの前方に第二透光孔５ｂを有する遮光層５とを備える。【選択図】図２
2014085456.tif 000002
【特許請求の範囲】
【請求項１】
光源からの光を導光して前面から出射させる平板状の導光部材と、
前記導光部材の前面に設けられ、前後方向に対して斜めに傾斜した傾斜面を後側に有する透光性の成形樹脂層と、
前記成形樹脂層の前記傾斜面に設けられ、金属調光沢を有する加飾フィルムと、
前記成形樹脂層の前面に設けられ、前記傾斜面の前方に透光孔を有する遮光層と、
を備えることを特徴とする装飾パネル。
【請求項２】
前記成形樹脂層と前記遮光層との間に設けられ、前方からの操作を検知する検知部を有する静電容量式の電極シートを備えることを特徴とする請求項１に記載の装飾パネル。
【請求項３】
前記加飾フィルムは、金属成分を含まない非金属フィルムであることを特徴とする請求項２に記載の装飾パネル。
【請求項４】
前記傾斜面は、後方に向けて狭窄する裁頭円錐面状に形成されていることを特徴とする請求項１〜３の何れか一項に記載の装飾パネル。
【発明の詳細な説明】
【技術分野】
【０００１】
本発明は、装飾パネルに関する。
【背景技術】
【０００２】
従来、例えばカーエアコンやカーオーディオの操作部などに用いられる装飾パネルとして、金属調の意匠部（デザイン部）を有するものが知られている（例えば、特許文献１〜３参照）。
【０００３】
この種の装飾パネルは、例えば図３に示すように、導光部材１１０の前面に、透光性の樹脂層１２０と、金属調光沢を有する加飾層１３０と、所定の意匠形状に形成された透光孔１４０ａを有する遮光層１４０とが順次積層された構成となっている。そして、導光部材１１０の側端面に対向配置された光源１５０を発光させることにより、その光が、導光部材１１０内を導光して樹脂層１２０及び加飾層１３０を順次透過した後に遮光層１４０の透光孔１４０ａを通じて前方へ出射され、この透光孔１４０ａ内が金属調光沢を伴って所定の意匠形状で発光するように構成されている。
【先行技術文献】
【特許文献】
【０００４】
【特許文献１】特開２０１２−１１６２１９号公報
【特許文献２】特開２０１２−５４１０９号公報
【特許文献３】特開２０１１−１５４４５１号公報
【発明の概要】
【発明が解決しようとする課題】
【０００５】
しかしながら、上記従来の装飾パネルでは、金属調光沢を有する加飾層１３０が樹脂層１２０の前面に単純に積層されたものであるため、発光時か非発光時かに拘らず、金属調光沢を有する意匠部の見栄えが平面的でありふれたものとなっていた。
【０００６】
本発明は、上記事情を鑑みてなされたもので、金属調光沢を有する意匠部の見栄えを奥行き感のあるものとすることができる装飾パネルの提供を課題とする。
【課題を解決するための手段】
【０００７】
上記課題を解決するために、請求項１に記載の発明は、装飾パネルにおいて、
光源からの光を導光して前面から出射させる平板状の導光部材と、
前記導光部材の前面に設けられ、前後方向に対して斜めに傾斜した傾斜面を後側に有する透光性の成形樹脂層と、
前記成形樹脂層の前記傾斜面に設けられ、金属調光沢を有する加飾フィルムと、
前記成形樹脂層の前面に設けられ、前記傾斜面の前方に透光孔を有する遮光層と、
を備えることを特徴とする。
【０００８】
請求項２に記載の発明は、請求項１に記載の装飾パネルにおいて、
前記成形樹脂層と前記遮光層との間に設けられ、前方からの操作を検知する検知部を有する静電容量式の電極シートを備えることを特徴とする。
【０００９】
請求項３に記載の発明は、請求項２に記載の装飾パネルにおいて、
前記加飾フィルムは、金属成分を含まない非金属フィルムであることを特徴とする。
【００１０】
請求項４に記載の発明は、請求項１〜３の何れか一項に記載の装飾パネルにおいて、
前記傾斜面は、後方に向けて狭窄する裁頭円錐面状に形成されていることを特徴とする。
【発明の効果】
【００１１】
本発明によれば、光源から出射した光が導光部材を通じて成形樹脂層に入射し、この成形樹脂層で拡散されて、当該成形樹脂層の傾斜面に設けられた加飾フィルムで前方へ反射された後に、遮光層の透光孔を通じて前方へ照射される。このとき、遮光層の透光孔に向けて光を反射させる加飾フィルムが、前後方向に対して斜めに傾斜した傾斜面に設けられているので、当該装飾パネルを前方から見たときに、前後方向に対して斜めに傾斜した加飾フィルムが透光孔を通じて視認されることとなり、ひいては、金属調光沢を有する加飾フィルムが奥行き感（立体感）を伴って視認されることとなる。したがって、遮光層の透光孔を所定の意匠形状にデザインすることで、非発光時は勿論のこと、発光時においても、金属調光沢を有する意匠部の見栄えを奥行き感のあるものとすることができる。
【図面の簡単な説明】
【００１２】
【図１】実施形態における装飾パネルの正面図である。
【図２】図１のII−II線での断面図である。
【図３】従来の装飾パネルの断面図である。
【発明を実施するための形態】
【００１３】
以下、本発明の実施形態について、図面を参照して説明する。
図１は、本実施形態における装飾パネル１の正面図であり、図２は、図１のII−II線での断面図である。
【００１４】
図１に示すように、装飾パネル１は、カーエアコン用の操作パネルであり、例えば温度調節に用いられる円形状のスイッチＳＷを有している。このスイッチＳＷは、ユーザーからの接近操作又は接触操作を受けて、図示しないカーエアコン本体に所定の動作を行わせるように機能するタッチスイッチ（タッチパネル）である。また、スイッチＳＷには、その機能の内容を示す名称部Ｎが中央部に設けられるとともに、金属調光沢を有する円環状の意匠部Ｄが周縁部に設けられている。
【００１５】
具体的には、装飾パネル１は、図２に示すように、導光部材２と、支持部材３と、成形樹脂層４と、遮光層５と、フロントプレート６とを主に備えている。
このうち、導光部材２は、装飾パネル１の前後方向と直交する平板状に形成されており、その側端面には、ＬＥＤ（発光ダイオード）６が対向配置されている。この導光部材２は、ＬＥＤ６から出射されて側端面から当該導光部材２内に入射した光を、前面のうち成形樹脂層４が設けられた部分から出射させるように導光する。なお、ＬＥＤ６は、導光部材２の幅方向（図２の紙面垂直方向）に沿って複数並設されていてもよい。
【００１６】
支持部材３は、成形樹脂層４を導光部材２の前面に支持させるためのものであり、成形樹脂層４が積層される孔部を有する板状に形成され、導光部材２の前面に設けられている。成形樹脂層４が積層される孔部は、後方に向けて狭窄する裁頭円錐体状に形成されており、当該孔部から導光部材２の前面が露出している。なお、支持部材３は、導光部材２の一部として当該導光部材２と一体的に構成してもよい。
【００１７】
成形樹脂層４は、透光性を有する樹脂からなり、支持部材３に形成された孔部内で導光部材２の前面に積層されている。より詳細には、成形樹脂層４は、後方に向けて狭窄する裁頭円錐体状に形成されており、その周面が裁頭円錐面状の傾斜面４ａとなっている。また、成形樹脂層４は、正面視での形状及び大きさがスイッチＳＷの形状及び大きさと略対応しており、このうち傾斜面４ａの正面視での形状及び大きさが、スイッチＳＷの意匠部Ｄの形状及び大きさと略対応している。なお、傾斜面４ａは、前後方向に対して斜めに傾斜しつつ成形樹脂層４の後側に形成された面であればよく、裁頭円錐面状のものに限定されない。
【００１８】
成形樹脂層４の傾斜面４ａには、金属調光沢を有する加飾フィルム８がインサート成形されている。この加飾フィルム８は、ポリマー層が多層に積層されてなる多層ラミネートフィルムであり、金属成分を含まない非金属フィルムであるにも拘らず金属調光沢を有するものとなっている。このような金属調光沢を有する非金属フィルムとしては、例えば、東レ株式会社製の商品名「ピカサス」（ＰＩＣＡＳＵＳ）などが挙げられる。また、加飾フィルム８は、見る方向によって色調が変化するものとなっている。
【００１９】
成形樹脂層４の前面中央部には、装飾フィルム９がインサート成形されている。この装飾フィルム９には、加飾フィルム８と同様に、金属調光沢を有する非金属フィルム（多層ラミネートフィルム）が用いられている。
【００２０】
また、支持部材３，成形樹脂層４及び装飾フィルム９の前面には、その略全域に亘って透明の電極シート１０が設けられている。この電極シート１０は、静電容量式のセンサとして機能するものであり、ユーザーによる前方からの接近操作又は接触操作を検知する図示しない検知部（電極部）を成形樹脂層４の前方に有している。
【００２１】
遮光層５は、電極シート１０の前面に設けられた黒色の層であり、より詳細には、フロントプレート６の後面に設けられた黒色の印刷層である。この遮光層５には、第一透光孔５ａ及び第二透光孔５ｂが形成されている。このうち、第一透光孔５ａは、スイッチＳＷの名称部Ｎと対応した形状（アルファベットで「ＶＯＬ」）に形成され、装飾フィルム９の前方に設けられている。一方、第二透光孔５ｂは、スイッチＳＷの意匠部Ｄと対応した円環状に形成され、成形樹脂層４の傾斜面４ａの前方に設けられている。
【００２２】
フロントプレート６は、透光性の板状部材であり、第一透光孔５ａ及び第二透光孔５ｂを含む遮光層５の前面全域に亘って設けられている。但し、より詳細には、上述したように、遮光層５が当該フロントプレート６の後面に印刷されている。
【００２３】
以上の構成を具備する装飾パネル１では、ＬＥＤ７が発光すると、当該ＬＥＤ７から出射した光が導光部材２内を導光して成形樹脂層４に後面から入射する。
成形樹脂層４に入射した光のうち、成形樹脂層４の前面中央部から前方へ出射したものは、装飾フィルム９を前方へ透過した後に、遮光層５の第一透光孔５ａを通るものだけが当該遮光層５を通過し、フロントプレート６から前方へ照射される。これにより、スイッチＳＷ中央部の名称部Ｎが、装飾フィルム９の金属調光沢を伴いつつ、遮光層５の第一透光孔５ａの形状（アルファベットで「ＶＯＬ」）で発光する。
【００２４】
また、成形樹脂層４に入射した光のうちの一部は、当該成形樹脂層４によってその周面に向けて広く拡散される。この光は、成形樹脂層４の傾斜面４ａに設けられた加飾フィルム８によって前方へ反射された後に、遮光層５の第二透光孔５ｂを通るものだけが当該遮光層５を通過し、フロントプレート６から前方へ照射される。これにより、スイッチＳＷ周縁部の意匠部Ｄが、加飾フィルム８の金属調光沢を伴いつつ、遮光層５の第二透光孔５ｂの形状である円環状に発光する。
【００２５】
ここで、意匠部Ｄでは、金属調光沢を有する加飾フィルム８が、前後方向に対して斜めに傾斜した傾斜面４ａに設けられているので、当該意匠部Ｄを前方から見たときに、発光時か非発光時かに拘らず、前後方向に対して斜めに傾斜した加飾フィルム８が第二透光孔５ｂを通じて視認される。これにより、金属調光沢を有する加飾フィルム８が奥行き感（立体感）を伴って視認されることとなり、ひいては、金属調光沢を有する意匠部Ｄが奥行き感のある見栄えのものとなる。
【００２６】
以上のように、本実施形態の装飾パネル１によれば、ＬＥＤ７から出射した光が導光部材２を通じて成形樹脂層４に入射し、この成形樹脂層４で拡散されて、当該成形樹脂層４の傾斜面４ａに設けられた加飾フィルム８で前方へ反射された後に、遮光層５の第二透光孔５ｂを通じて前方へ照射される。このとき、遮光層５の第二透光孔５ｂに向けて光を反射させる加飾フィルム８が、前後方向に対して斜めに傾斜した傾斜面４ａに設けられているので、当該装飾パネル１を前方から見たときに、前後方向に対して斜めに傾斜した加飾フィルム８が第二透光孔５ｂを通じて視認されることとなり、ひいては、金属調光沢を有する当該加飾フィルム８が奥行き感（立体感）を伴って視認されることとなる。したがって、非発光時は勿論のこと、発光時においても、金属調光沢を有する意匠部Ｄの見栄えを奥行き感のあるものとすることができる。
【００２７】
また、加飾フィルム８が金属成分を含まない非金属フィルムであるので、当該加飾フィルム８は静電容量式の電極シート１０の動作に殆ど影響を及ぼさない。したがって、スイッチＳＷの感度に殆ど影響を及ぼすことなく、金属調光沢を有する意匠部Ｄを設けることができる。
【００２８】
なお、本発明を適用可能な実施形態は、上述した実施形態に限定されることなく、本発明の趣旨を逸脱しない範囲で適宜変更可能である。
【００２９】
例えば、上記実施形態では、本発明に係る装飾パネルとして、カーエアコン用の操作パネルを例に挙げて説明したが、本発明は、金属調光沢を有する意匠部が設けられる装飾パネルであれば、特に限定されることなく、好適に適用することができる。
【００３０】
また、成形樹脂層４は、透光性を有するものであれば、無色透明のものあってもよいし、スモーク状のものや有色のものであってもよい。
また、フロントプレート６に印刷される遮光層５は、前面側のデザインが、加飾フィルム８及び装飾フィルム９のものとは異なる金属調や、木目調などであってもよい。
【００３１】
また、ＬＥＤ７が導光部材２の側端面に対向配置されることとしたが、当該ＬＥＤ７は、導光部材２を通じて当該導光部材２の前面から光を出射可能な構成であれば、例えば導光部材２の後方に配置されていてもよい。
また、本発明に係る光源は、ＬＥＤ（発光ダイオード）以外の光源であってもよい。
【符号の説明】
【００３２】
１        装飾パネル
２        導光部材
４        成形樹脂層
４ａ    傾斜面
５        遮光層
５ａ    第一透光孔
５ｂ    第二透光孔
６        フロントプレート
７        ＬＥＤ（光源）
８        加飾フィルム
９        装飾フィルム
１０      電極シート
ＳＷ      スイッチ
Ｄ      意匠部
Ｎ      名称部
【図１】
2014085456.tif 000003
【図２】
2014085456.tif 000004
【図３】
2014085456.tif 000005